(57)【特許請求の範囲】
【請求項１】
物品を収容箱の内部に収容する際に、前記物品のコーナー部と前記収容箱の内壁との間に介在させて前記物品を固定するために用いられるコーナーパッドであって、
前記物品のコーナー部を載せることが可能な基板と、
前記物品のコーナー部近傍の二側面に接触可能な内壁と、前記内壁から所定距離で外側に配置される外壁とを持つように、前記基板から起立する膨出部と、
前記基板上に、他のコーナーパッドの膨出部および基板が置かれた場合に、これらのコーナーパッドを着脱自在に連結する嵌合部とを有し、
前記嵌合部は、前記基板から前記膨出部の外壁よりも外側に飛び出すように形成してある突出片に形成してある第１係合部と、他のコーナーパッドの前記第１係合部に対して着脱自在に係合する第２係合部とを有するコーナーパッド。
【請求項２】
前記物品のコーナー部の二側面の各々に接触可能な二つの内壁面の交差部には、前記物品のコーナー部との直接の接触を避ける凹部が形成してある請求項１に記載のコーナーパッド。
【発明の詳細な説明】
【０００１】
【発明の属する技術分野】
本発明は、たとえばシートやフィルムなどの物品を所定枚数ごとに箱詰めする際に、物品と箱との間の隙間を埋めるスペーサーとして用いられるコーナーパッドに係わり、さらに詳しくは、種々のサイズの物品を位置ズレすることなく箱詰めする際に用いることができるコーナーパッドに関する。
【０００２】
【従来の技術】
従来から、所定枚数重ねたシートやフィルムを流通に供する場合には、これらシートやフィルムの大きさ（たとえば、Ａ４やＢ４など）に適合した収容箱を用意し、これに箱詰めすることとしている。
【０００３】
しかしながら、こうした方法によると、シートのサイズ毎に異なるサイズの収容箱が必要となり、コスト高になるとともにサイズ毎の管理が煩雑になるといった問題がある。
【０００４】
これに対し、異なるサイズのシートやフィルムを１種類の収容箱で収容するために、予め、シートやフィルムのサイズより大きいサイズの収容箱を用意し、これに所定枚数重ねたシートやフィルムを箱詰めし、収容箱の内壁との間に形成される隙間を、たとえば、発泡スチレン、おがくず、ＰＥフィルム、新聞紙などの詰め物により埋めて、前記シートやフィルムを収容箱内に固定することもある。この方法によれば、所定サイズの収容箱を、異なる大きさのシートやフィルムを箱詰めするのに使用することができるため、シートやフィルムのサイズ毎に収容箱を用意する前述の場合と比較して好ましいといえる。
【０００５】
【発明が解決しようとする課題】
しかしながら、こうした方法に用いられる詰め物は消耗材であることが通常であり、廃棄物が増大するという課題がある。また、このような詰め物は、ある程度の量を確保する必要があり、コストが増大するという課題もある。しかも、この種の詰め物は嵩張るので、保管場所を確保する必要があり、また詰め物自体の物流コストが高くなるという問題もある。
【０００６】
本発明の目的は、こうした従来技術の問題点を解決し、少ない種類の容器で多くの異なるサイズのシートやフィルムを収容することができ、しかも軽量かつ保管場所を取るおそれが少ないコーナーパッドを提供することにある。
【０００７】
【課題を解決するための手段】
上記目的を達成するために、本発明に係るコーナーパッドは、
物品を収容箱の内部に収容する際に、前記物品のコーナー部と前記収容箱の内壁との間に介在させて前記物品を固定するために用いられるコーナーパッドであって、
前記物品のコーナー部を載せることが可能な基板と、
前記物品のコーナー部近傍の二側面に接触可能な内壁と、前記内壁から所定距離で外側に配置される外壁とを持つように、前記基板から起立する膨出部と、
前記基板上に、他のコーナーパッドの膨出部および基板が置かれた場合に、これらのコーナーパッドを着脱自在に連結する嵌合部とを有する。
【０００８】
好ましくは、前記物品のコーナー部の二側面の各々に接触可能な二つの内壁面の交差部には、前記物品のコーナー部との直接の接触を避ける凹部が形成してある。
【０００９】
好ましくは、前記嵌合部は、前記基板から前記膨出部の外壁よりも外側に飛び出すように形成してある突出片に形成してある第１係合部と、他のコーナーパッドの前記第１係合部に対して着脱自在に係合する第２係合部とを有する。
【００１０】
好ましくは、前記基板と膨出部と嵌合部とは、一枚のシートから一体に成形される。
【００１１】
【作用】
本発明に係るコーナーパッドは、その基板の上に物品のコーナー部を載せることで、コーナーパッドの膨出部が収容箱の内壁と物品のコーナー部との間のスペーサとなり、収容箱の内部における物品の位置ズレを防止することができる。
【００１２】
収容箱の大きさに比べて物品の大きさが格段に小さい場合には、一のコーナーパッドの基板の上に他のコーナーパッドの膨出部および基板を重ね、これを繰り返すことで、複数のコーナーパッドの膨出部が、物品と収容箱の内壁との間のスペーサとなる。したがって、種々の大きさの物品でも、収容箱の内部に位置ズレすることなく収容することができる。
【００１３】
たとえば所定大きさ（Ａ４サイズ、Ｂ５サイズなど）の感光シートなどのゴミを嫌う物品を積層して収容箱の内部に収容する場合には、積層された物品を真空パックして収容箱の内部に収容することになる。特に、このような場合に、収容箱の内部で物品が移動すると、摩擦により真空パック用フィルムが破れ、その内部のシートにゴミが付着するなどの課題がある。本発明では、収容箱の内部における物品の移動を防止することができ、このような真空パック用フィルムの破れを効果的に防止することができる。
【００１４】
本発明において、前記物品のコーナー部の二側面の各々に接触可能な二つの内壁面の交差部に、前記物品のコーナー部との直接の接触を避ける凹部を形成することで、収容される物品の破損などを効果的に防止することができる。たとえば収容箱の内部に収容される物品が、真空パックされたシートの積層物の場合には、物品のコーナー部に対応する真空パック用フィルムが特に破れやすい。本発明では、物品のコーナー部が他の部材と接触しないので、この部分の破れを効果的に防止することができる。また、このような凹部をコーナーパッドに設けることで、収容箱の内部から物品を取り出す際に、凹部内に作業者の指を入れることが可能になり、取り出し作業性を向上させることもできる。
【００１５】
本発明において、前記嵌合部を、前記基板から前記膨出部の外壁よりも外側に飛び出すように形成してある突出片に形成してある第１係合部と、他のコーナーパッドの前記第１係合部に対して着脱自在に係合する第２係合部とで形成することで、コーナーパッド相互の位置ズレも効果的に防止することができる。
【００１６】
また、収容箱の内壁に接触する位置に置かれるコーナーパッドにおける第１係合部が形成してある突出片は、基板に対して略垂直に折り曲げられることで、邪魔にならない。また、折り曲げられた突出片は、元に戻ろうとする力が作用し、その力が、コーナーパッドを物品の角部に押し付ける方向に作用する。そのことからも、収容箱の内部での物品の位置ズレを防止する。
【００１７】
本発明に係るコーナーパッドは、たとえば、シートもしくはフィルムを所定枚数重ねたもの、またはブロック状物などを収容する際に好適に用いることができる。
本発明に係るコーナーパッドは、未使用時は積み重ねて保管することができる。
【００１８】
【発明の実施の形態】
以下、本発明に係るコーナーパッドの実施形態を、図面に基づいて説明する。
図１（Ａ）は本発明に係るコーナーパッドの一実施形態を示す平面図、同図（Ｂ）は同図（Ａ）をIB方向からみた図、同図（Ｃ）は同図（Ａ）をIC方向からみた図、図２（Ａ）は図１のIIA−IIA線に沿う断面図、同図（Ｂ）は図１のIIB−IIB線に沿う断面図、図３（Ａ）〜（Ｄ）は図１のコーナーパッドの使用形態を示す平面図、図４は図１のコーナーパッドの使用形態を示す概略断面図である。
【００１９】
第１実施形態
まず、本実施形態に係るコーナーパッドの構成と、その製造方法を説明する。
図１（Ａ）〜（Ｃ）に示すように、コーナーパッド２は、平面側から見て略三角形状の基板４を有する。基板４の略直交する２辺位置には、平面側から見て略Ｌ字状の膨出部６が基板４から上方に膨出するように形成してある。膨出部６の裏面は、凹部になっている。
【００２０】
膨出部６は、基板４から起立する内壁６２、外壁６４および側壁６６ａ，６６ｂを有し、外壁６４と内壁６２との間には、所定のスペーサ間隔があり、このスペーサ間隔が、収容箱の内壁と物品との間の隙間を調節するスペーサの機能を有する。内壁６２、外壁６４および側壁６６ａ，６６ｂの上端には、基板４の面と略平行な水平面部６８が略Ｌ字状（平面視）に連なるよう形成してある。
【００２１】
コーナーパッド２の内壁６２は、所定枚数重ねたシートやフィルムなどの物品を収容箱の内部に収容する際に、物品のコーナー部近傍の二側面に当接し、当該物品が前後左右に移動するのを抑制する機能を司る。
【００２２】
本実施形態における内壁６２の交差部には、凹部６２２が形成してある。この凹部６２２は、収容箱の内部角部にコーナーパッドを配置した状態で、物品を収容箱の内部に収容した状態で、物品のコーナー部がコーナーパッドに接触することを防止する。その結果、角当たり（物品の角部頂点が内壁６２に直接接すること）を防止でき、物品の損傷を効果的に防止することができる。したがって、真空パックされた積層シートを収容箱の内部に収容する場合には、角部における真空パック用フィルムの破れを効果的に防止することができる。
【００２３】
凹部６２２の深さＤは、好ましくは３〜１０ｍｍの範囲である。さらに、本実施形態における内壁６２には、たとえば３〜１５°程度の抜き角α１（テーパ面。図２（Ｂ）参照）が設けてある。この程度の抜き角α１を設けることにより、成形時の型抜きが容易になって成形性が向上するとともに、コーナーパッド２を複数個積み重ねた際の嵩容積が小さくなり、コンパクトな保管が可能となる。
【００２４】
外壁６４には、本実施形態におけるように、剛性を高めるためのリブ６４２が形成してあってもよい。また、本実施形態における外壁６４には、内壁６２と同様の理由から、たとえば３〜１５°程度の抜き角α２（テーパ面、図１（Ｂ）〜（Ｃ）、図２（Ａ）〜（Ｂ）参照）が設けてある。
【００２５】
側壁６６ａ，６６ｂに対向する基板４上には、後述する係合凹部４４ａ（特に、図２（Ｂ）参照），４４ｂにそれぞれ係合可能な係合凸部４２ａ，４２ｂが形成してある。これら係合凸部４２ａ，４２ｂの横断面形状は、特に限定されず、円形、楕円形その他の円形状、三角、四角その他の方形状およびこれらの組み合わせなどを例示することができるが、本実施形態では横断面形状を略円形としてある。係合凸部４２ａ，４２ｂの外径ｒ１は特に限定されない。
側壁６６ａ，６６ｂは、たとえば略４５°程度の傾斜角βをもって形成することができる。
【００２６】
また、本実施形態に係るコーナーパッド２には、基板４の外壁６４の側端面から外側に突出し、少なくとも外壁６４側に折り曲げ可能な折曲部４３２ａ，４３２ｂがそれぞれ形成してある突出片４３ａ，４３ｂを有する。突出片４３ａ，４３ｂには、膨出部６の水平面部６８側に陥没する係合凹部４４ａ，４４ｂがそれぞれ形成してある。係合凹部４４ａ，４４ｂの横断面形状も、前記係合凸部４２ａ，４２ｂと同様に特に限定されず、円形、楕円形その他の円形状、三角、四角その他の方形状およびこれらの組み合わせなどを例示することができるが、本実施形態では横断面形状を楕円形としてある。図２（Ｂ）に示すように、係合凹部４４ａの最小内径ｒ２は、前記係合凸部４２ａ，４２ｂの外径ｒ１（図１（Ｂ）〜（Ｃ）および図２（Ａ）参照）と少なくとも同一であればよく、係合作業を向上させる観点からは、ｒ１より大きくしてあることが好ましい。係合凹部４４ｂについても同様である。
【００２７】
以上のように構成される本実施形態に係るコーナーパッド２は、合成樹脂から構成されるシートを、真空成形あるいは真空圧空成形することにより製造することができる。シートは、単層あるいは、合成樹脂シートと発泡樹脂または、他の樹脂、ゴムなどとの複合層から成形してあってもよい。合成樹脂シートの厚みは、特に限定されないが、０．１〜２ｍｍであることが好ましい。シートの厚みが０．１ｍｍより薄いと剛性が不足する傾向にあり、２ｍｍを越えると成形時の賦形性が劣る傾向にあり、経済性および賦形性の両方を考慮すると、０．３〜０．８ｍｍがより好ましい。
【００２８】
本発明で用いる合成樹脂シートは、特に限定されず、たとえば、ポリプロピレン、ポリエチレン、プロピレン−エチレン共重合体（エチレン含有量が１〜５０重量％）、高密度ポリエチレン、塩化ビニル系樹脂、アクリロニトリル−ブタジエン−スチレン共重合体、ポリスチレン、Ａ−ＰＥＴ（非晶性ポリエチレンテレフタレート）などの各種合成樹脂から構成することができる。また、こうした合成樹脂シートには、たとえば、無機充填剤、帯電防止剤、紫外線吸収剤、顔料などの添加剤が含有してあってもよい。添加剤の含有量は、樹脂１００重量部に対して、合計で、０．１〜５０重量部であることが好ましく、より好ましくは０．２〜４０重量部である。
【００２９】
次に、上記コーナーパッド２の使用方法の一例を説明する。なお、以下の説明では、物品としてシートやフィルムを所定枚数重ねて真空パック包装してあるブロック状のものを例に挙げて説明する。
【００３０】
たとえば図３（Ａ）に示すように、上記コーナーパッド２（図１〜２参照）と同様のコーナーパッド２ａ〜２ｄを用意し、これら４つのコーナーパッド２ａ〜２ｄを収容箱１０のコーナー部１０ａ〜１０ｄにそれぞれ配置する。このとき、コーナーパッド２ａ〜２ｄのそれぞれの突出片４３ａ，４３ｂ（図１（Ａ）参照）を、折曲部４３２ａ，４３２ｂを折り曲げ中心として、膨出部６の外壁６４側に折り曲げてから、コーナー部１０ａ〜１０ｄに配置する。
【００３１】
次いで、コーナーパッド２ａ〜２ｄの内壁６２の内側に形成される空間に、物品３０を挿入する。この際、物品３０の角部近傍の端面を、コーナーパッド２ａ〜２ｄのそれぞれの内壁６２に当接させて、物品３０の収納を行う。
【００３２】
本実施形態では、物品３０としてブロック状のものを用いているので、図４に示すように、物品３０の高さＨ２が、コーナーパッド２ｃの内壁６２の高さＨ１より高くてもよい。
【００３３】
また、本実施形態では、コーナーパッド２ａ〜２ｄを、その突出片４３ａ，４３ｂを外壁６４側に折り曲げてから、収容箱１０のコーナー部１０ａ〜１０ｄにそれぞれ配置することとしてあるので、コーナーパッド２ａ〜２ｄはそれぞれ収容箱１０の内側（物品３０側）に向かって力が働く。このため、より完全に物品３０を固定することができるとともに、収容箱１０とコーナーパッド２ａ〜２ｄとの間に多少の隙間がある場合であっても、コーナーパッド２ａ〜２ｄを収容箱１０内に固定することができる。
【００３４】
また、本実施形態に係るコーナーパッド２（２ａ〜２ｄ）の内壁６２の交差部には、凹部６２２が形成してあるので、収容箱１０の物品３０を収容して輸送する際に、物品３０の角部の破損を有効に防止することができる。したがって、本実施形態におけるように、真空パックされたブロック状の物品３０を収容箱１０の内部に収容する場合には、角部における真空パックの破れを効果的に防止することができる。また、物品３０を取り出す際の作業性を向上させることもできる。
【００３５】
特に本実施形態では、収容箱１０の総てのコーナー部１０ａ〜１０ｄにそれぞれコーナーパッド２ａ〜２ｄを配置することとしてあるので、物品３０の総ての角部頂点を、コーナーパッド２ａ〜２ｄの内壁６２から離すことができ、輸送時に振動や衝撃などによっても、物品３０の角部頂点付近の真空パックが破れるおそれは極めて少ない。すなわち、本実施形態に係るコーナーパッドを、収容箱３０の４角に配置して使用することは、感光フィルムなどゴミや埃などの混入を嫌うフィルムを収容するのに対して効果が大きい。
【００３６】
なお、収容箱１０の寸法は、特に限定されず、たとえば、横５７０〜１０００ｍｍ×縦６７２〜１０００ｍｍ×深さ２６ｍｍ程度であり、収納するシートまたはフィルムのサイズも特に限定されず、たとえば、横５０８〜１０００ｍｍ×縦６１０〜１０００ｍｍ程度である。
【００３７】
第２実施形態
また、図１および図２に示すコーナーパッド２の他の使用形態としては、たとえば図３（Ｂ）に示すように、上記コーナーパッド２（図１〜２参照）と同様のコーナーパッド２ｃ〜２ｄを用意し、これら２つのコーナーパッド２ｃ〜２ｄを収納箱１０のコーナー部１０ｄに重ねて配置する。
【００３８】
本実施形態では、まず、コーナーパッド２ｄの突出片４３ａ，４３ｂ（図１（Ａ）参照）を、上記第１実施形態と同様に折り曲げてから、コーナー部１０ｄ側に配置する。
【００３９】
次いで、コーナーパッド２ｄの係合凸部４２ａ，４２ｂ（図１（Ａ）参照）と、コーナーパッド２ｃの係合凹部４４ａ，４４ｂ（図２（Ａ）〜（Ｂ）参照）とが係合するように、コーナーパッド２ｃを重ね合わせる。この際、重ね合わせるコーナーパッド２ｃの外壁６４，６４（図１（Ａ）参照）が、コーナーパッド２ｄの内壁６２に当接される。
【００４０】
次いで、２つのコーナーパッド２ｃ〜２ｄの内壁６２の内側に形成される空間に、物品３０を挿入する。この際、物品３０の角部近傍の端面を、コーナーパッド２ｃの内壁面６２に当接させて物品３０の収納を行う。
【００４１】
本実施形態では、２つのコーナーパッド２ｃ〜２ｄを連結させて使用することとしてあるので、物品３０のサイズが収容箱１０のサイズに適合していない場合であっても、好適に収容に供することができる。
【００４２】
特に本実施形態では、上記第１実施形態に比べて、用いるパッドの数を少なくできるので、経済的である。
【００４３】
その他の実施形態
以上本発明の実施形態について説明してきたが、本発明はこうした実施形態に何等限定されるものではなく、本発明の要旨を逸脱しない範囲内において種々なる態様で実施し得ることは勿論である。
【００４４】
たとえば、図３（Ｃ）に示すように、収容箱１０の４角１０ａ〜１０ｄにそれぞれ２つのコーナーパッド２ａ〜２ｈを配置することとしてもよく、図３（Ｄ）に示すように、収容箱１０の１角１０ｄに４つのコーナーパッド２ａ〜２ｄを配置することとしてもよい。この例のように多数のコーナーパッドを重ねて用いる場合、基板の厚みが重畳するので、必要であれば物品３０の下にボール紙等を敷いてレベル合わせするとよい。
【００４５】
また、物品３０は、ブロック状のものに限定されず、シートやフィルムを所定枚数重ねたものを直接適用したものであってもよい。この場合、図４に示すように、物品３０の高さＨ２が、コーナーパッド２ｃの内壁６２の高さＨ１と同等以下であることが好ましい。物品３０がシートやフィルムを所定枚数重ねたものを直接適用したものである場合に、物品３０の高さＨ２が、コーナーパッド２ｃの内壁６２の高さＨ１より高い場合には、シートやフィルムの完全な固定ができないからである。
【００４６】
【発明の効果】
以上説明してきたように、本発明によれば、少ない種類の容器で多くの異なるサイズのシートやフィルムを収容することができ、しかも軽量かつ保管場所を取るおそれが少ないコーナーパッドを提供することができる。
【図面の簡単な説明】
【図１】図１（Ａ）は本発明に係るコーナーパッドの一実施形態を示す平面図、同図（Ｂ）は同図（Ａ）をIB方向からみた図、同図（Ｃ）は同図（Ａ）をIC方向からみた図である。
【図２】図２（Ａ）は図１のIIA−IIA線に沿う断面図、同図（Ｂ）は図１のIIB−IIB線に沿う断面図である。
【図３】図３（Ａ）〜（Ｄ）は図１のコーナーパッドの使用形態を示す平面図である。
【図４】図４は図１のコーナーパッドの使用形態を示す概略断面図である。
【符号の説明】
２，２ａ〜２ｈ…  コーナーパッド
４…  基板
４２ａ，４２ｂ…  係合凸部（嵌合部）
４３ａ，４３ｂ…  突出片
４３２ａ，４３２ｂ…  折曲部
４４ａ，４４ｂ…  係合凹部（嵌合部）
６…  膨出部
６２…  内壁
６２２…  凹部
６４…  外壁
６４２…  リブ
６６ａ，６６ｂ…  側壁
６８…  水平面部
１０…  収容箱
１０ａ〜１０ｄ…  コーナー部
３０…  物品
【図１】
0004213308.tif 000002
【図２】
0004213308.tif 000003
【図３】
0004213308.tif 000004
【図４】
0004213308.tif 000005